(57)【要約】【課題】効率的に異種記録媒体を搭載するディスクアレイ装置の提供。【解決手段】収納したフラッシュモジュール１０の接続端子に接続されてベース基板の共通コネクタに接続するためのキャニスタコネクタを共通コネクタの配置と同位置に保つＦＭＤキャニスタ１００と、収納したＨＤＤ３０の接続端子をベース基板の共通コネクタの配置と同位置に保し且つＦＭＤキャニスタ１００と同一外形状のＨＤＤキャニスタ２００とを用い、形状が異なるＨＤＤ３０とフラッシュモジュール１０を混在して搭載するディスクアレイ装置７０。【選択図】図２
2015207028.tif 000002
【特許請求の範囲】
【請求項１】
データの書込及び読込が高速な記録媒体であるフラッシュモジュール及びアクセス頻度が低い記録媒体である磁気ディスク装置を、上面を開放した箱形状筐体内に搭載し、箱形状筐体底のベース基板に前記記録媒体との共通コネクタを複数配置したディスクアレイ装置であって、
前記フラッシュモジュールを収納し、該収納したフラッシュモジュールの接続端子に接続されて前記共通コネクタに接続するためのキャニスタコネクタを前記共通コネクタの配置と同位置に保つフラッシュモジュール用キャニスタと、前記磁気ディスク装置を複数収納し、該収納した磁気ディスク装置の接続端子を前記共通コネクタの配置と同位置に保し且つ前記フラッシュモジュール用キャニスタと同一外形状の磁気ディスク装置用キャニスタとを搭載することを特徴とするディスクアレイ装置。
【請求項２】
前記フラッシュモジュール用キャニスタがディスクアレイ装置の箱横方向に延びるラッチを有し、該ラッチと係合してフラッシュモジュール用キャニスタを固定することを特徴とする請求項１記載のディスクアレイ装置。
【請求項３】
前記磁気ディスク装置用キャニスタがディスクアレイ装置の箱横方向に延びるラッチを有し、該ラッチと係合して磁気ディスク装置用キャニスタを固定することを特徴とする請求項１又は２記載のディスクアレイ装置。
【請求項４】
前記磁気ディスク装置用キャニスタがディスクアレイ装置のベース基板に螺旋止めされるネジを有し、該ネジをディスクアレイ装置のベース基板に螺旋止めして磁気ディスク装置用キャニスタを固定することを特徴とする請求項１又は２記載のディスクアレイ装置。
【請求項５】
データの書込及び読込が高速な記録媒体であるフラッシュモジュール及びアクセス頻度が低い記録媒体である磁気ディスク装置を、上面を開放した箱形状筐体内に搭載し、箱形状筐体底のベース基板に前記記録媒体との共通コネクタを複数配置したディスクアレイ装置の異種記録媒体混在方法であって、
前記フラッシュモジュールを収納し、該収納したフラッシュモジュールの接続端子に接続されて前記共通コネクタに接続するためのキャニスタコネクタを前記共通コネクタの配置と同位置に保つフラッシュモジュール用キャニスタと、前記磁気ディスク装置を複数収納し、該収納した磁気ディスク装置の接続端子を前記共通コネクタの配置と同位置に保し且つ前記フラッシュモジュール用キャニスタと同一外形状の磁気ディスク装置用キャニスタとを用い、前記フラッシュモジュール用キャニスタのキャニスタコネクタ及び磁気ディスク装置用キャニスタの接続端子を箱形状筐体底のベース基板の共通コネクタに接続することを特徴とするディスクアレイ装置の異種記録媒体混在方法。
【請求項６】
前記フラッシュモジュール用キャニスタがディスクアレイ装置の箱横方向に延びるラッチを有し、該ラッチと係合してフラッシュモジュール用キャニスタを固定することを特徴とする請求項５記載のディスクアレイ装置の異種記録媒体混在方法。
【請求項７】
前記磁気ディスク装置用キャニスタがディスクアレイ装置の箱横方向に延びるラッチを有し、該ラッチと係合して磁気ディスク装置用キャニスタを固定することを特徴とする請求項４又は５記載のディスクアレイ装置の異種記録媒体混在方法。
【請求項８】
前記磁気ディスク装置用キャニスタがディスクアレイ装置のベース基板に螺旋止めされるネジを有し、該ネジをディスクアレイ装置のベース基板に螺旋止めして磁気ディスク装置用キャニスタを固定することを特徴とする請求項４又は５記載のディスクアレイ装置の異種記録媒体混在方法。
【発明の詳細な説明】
【技術分野】
【０００１】
本発明は、複数種の記録媒体を混在して搭載するディスクアレイ装置及び該ディスクアレイ装置の異種記録媒体混在方法に係り、特に複数の磁気ディスク装置（ＨＤＤ：Ｈａｒｄ  Ｄｉｓｋ  Ｄｒｉｖｅ）及び半導体記録素子を使用したフラッシュモジュールを混在して搭載するディスクアレイ装置及び該ディスクアレイ装置の異種記録媒体混在方法に関する。
【背景技術】
【０００２】
近年のコンピュータシステムのストレージシステムにおいては、データ容量の増大や高速化に対応する複数の磁気ディスク装置やフラッシュモジュールをレイド構成により搭載したディスクアレイ装置が採用され、このディスクアレイ装置を搭載するストレージシステムは、記録媒体種類のサイズが違うため、３．５インチや２．５インチサイズの複数の磁気ディスク装置を搭載した磁気ディスク装置用のディスクアレイ装置と、磁気ディスク装置に比べて約３倍の大きさの複数のフラッシュモジュールを搭載したフラッシュモジュール用のディスクアレイ装置とを筐体に多段に積層して構成されている。
【０００３】
なお、従来技術によるディスクアレイ装置に関する技術が記載された文献としては、下記の特許文献１が挙げられ、この特許文献１には、複数の磁気ディスク装置と、前記磁気ディスク装置を制御するコントローラとを備え、前記複数の磁気ディスク装置によって構成されるディスクグループ毎に前記磁気ディスク装置の電源を制御するディスクアレイ装置が記載されている。
【先行技術文献】
【特許文献】
【０００４】
【特許文献１】特開２００９−２１１５１０号公報
【発明の概要】
【発明が解決しようとする課題】
【０００５】
前記の特許文献１に記載された技術は、磁気ディスク装置用のディスクアレイ装置が記載されているものの、フラッシュモジュールを使用するディスクアレイ装置は示唆されてもおらず、磁気ディスク装置とフラッシュモジュールの異種記録媒体を搭載したストレージシステムを構成するためには、フラッシュモジュールの端子と接続するためのコネクタをベース基板に配置した専用のディスクアレイ装置を用意し、これら磁気ディスク装置用とフラッシュモジュール用のディスクアレイ装置を筐体に多段に積層しなければならないものであった。
【０００６】
近年のストレージシステムは、高速化の要求によって、アクセス頻度の高いデータをデータの書込及び読込が高速なフラッシュモジュールのディスクアレイ装置に書き込み、アクセス頻度が低くデータ容量が大きい磁気ディスク装置のディスクアレイ装置に書き込むため、図１（ａ）に示す如く、磁気ディスク装置用のディスクアレイ装置９１ａから９１ｃとフラッシュモジュール用のディスクアレイ装置８１ａとを筐体に積層してストレージシステム９０を構成している。
【０００７】
しかしながら、１台のディスクアレイ装置に搭載する磁気ディスク装置やフラッシュモジュールの数はコンピュータシステムに要求される性能によって異なり、１台のディスクアレイ装置の筐体中には空き空間があるにも係わらず、複数台のディスクアレイ装置を積層しなければならず、結果的にストレージシステムに無駄な空間が生じてしまい効率的なディスクアレイ装置を搭載することが困難であるという課題を招くものであった。
【０００８】
本発明の目的は、前述の従来技術による課題しようとするものであり、効率的に記録媒体を搭載することができるディスクアレイ装置及び該ディスクアレイ装置の異種記録媒体混在方法を提供することである。
【課題を解決するための手段】
【０００９】
前記の目的を達成するために請求項１記載の発明は、データの書込及び読込が高速な記録媒体であるフラッシュモジュール及びアクセス頻度が低い記録媒体である磁気ディスク装置を、上面を開放した箱形状筐体内に搭載し、箱形状筐体底のベース基板に前記記録媒体との共通コネクタを複数配置したディスクアレイ装置であって、
前記フラッシュモジュールを収納し、該収納したフラッシュモジュールの接続端子に接続されて前記共通コネクタに接続するためのキャニスタコネクタを前記共通コネクタの配置と同位置に保つフラッシュモジュール用キャニスタと、前記磁気ディスク装置を複数収納し、該収納した磁気ディスク装置の接続端子を前記共通コネクタの配置と同位置に保し且つ前記フラッシュモジュール用キャニスタと同一外形状の磁気ディスク装置用キャニスタとを搭載することを第１の特徴とする。
【００１０】
請求項２記載の発明は、第１の特徴のディスクアレイ装置において、前記フラッシュモジュール用キャニスタがディスクアレイ装置の箱横方向に延びるラッチを有し、該ラッチと係合してフラッシュモジュール用キャニスタを固定することを第３の特徴とし、請求項３記載の発明は、第１又は第２の特徴のディスクアレイ装置において、前記磁気ディスク装置用キャニスタがディスクアレイ装置の箱横方向に延びるラッチを有し、該ラッチと係合して磁気ディスク装置用キャニスタを固定することを第３の特徴し、請求項４記載の発明は、第１又は第２の特徴のディスクアレイ装置において、前記磁気ディスク装置用キャニスタがディスクアレイ装置のベース基板に螺旋止めされるネジを有し、該ネジをディスクアレイ装置のベース基板に螺旋止めして磁気ディスク装置用キャニスタを固定することを第４の特徴とする。
【００１１】
請求項５記載の発明は、データの書込及び読込が高速な記録媒体であるフラッシュモジュール及びアクセス頻度が低い記録媒体である磁気ディスク装置を、上面を開放した箱形状筐体内に搭載し、箱形状筐体底のベース基板に前記記録媒体との共通コネクタを複数配置したディスクアレイ装置の異種記録媒体混在方法であって、
前記フラッシュモジュールを収納し、該収納したフラッシュモジュールの接続端子に接続されて前記共通コネクタに接続するためのキャニスタコネクタを前記共通コネクタの配置と同位置に保つフラッシュモジュール用キャニスタと、前記磁気ディスク装置を複数収納し、該収納した磁気ディスク装置の接続端子を前記共通コネクタの配置と同位置に保し且つ前記フラッシュモジュール用キャニスタと同一外形状の磁気ディスク装置用キャニスタとを用い、前記フラッシュモジュール用キャニスタのキャニスタコネクタ及び磁気ディスク装置用キャニスタの接続端子を箱形状筐体底のベース基板の共通コネクタに接続することを第５の特徴とする。
【００１２】
請求項６記載の発明は、第５の特徴のディスクアレイ装置の異種記録媒体混在方法において、前記フラッシュモジュール用キャニスタがディスクアレイ装置の箱横方向に延びるラッチを有し、該ラッチと係合してフラッシュモジュール用キャニスタを固定することを第６の特徴とし、第５又は第６の特徴のディスクアレイ装置の異種記録媒体混在方法において、前記磁気ディスク装置用キャニスタがディスクアレイ装置の箱横方向に延びるラッチを有し、該ラッチと係合して磁気ディスク装置用キャニスタを固定することを第７の特徴とし、第５又は第６の特徴のディスクアレイ装置の異種記録媒体混在方法において、前記磁気ディスク装置用キャニスタがディスクアレイ装置のベース基板に螺旋止めされるネジを有し、該ネジをディスクアレイ装置のベース基板に螺旋止めして磁気ディスク装置用キャニスタを固定することを第８の特徴とする。
【発明の効果】
【００１３】
本発明によるディスクアレイ装置及び該ディスクアレイ装置の異種記録媒体混在方法は、収納したフラッシュモジュールの接続端子に接続されて共通コネクタに接続するためのキャニスタコネクタを共通コネクタの配置と同位置に保つフラッシュモジュール用キャニスタと、収納した磁気ディスク装置の接続端子を共通コネクタの配置と同位置に保し且つフラッシュモジュール用キャニスタと同一外形状の磁気ディスク装置用キャニスタとを用い、フラッシュモジュール用キャニスタのキャニスタコネクタ及び磁気ディスク装置用キャニスタの接続端子を箱形状筐体底のベース基板の共通コネクタに接続することによって、効率的に記録媒体を搭載することができる。
【図面の簡単な説明】
【００１４】
【図１】本発明によるディスクアレイ装置を説明するための図。
【図２】本発明の実施形態によるディスクアレイ装置を示す図。
【図３】本実施形態によるＦＭＤ（Ｆｌａｓｈ  Ｍｏｄｕｌｅ  Ｄｒｉｖｅ）キャニスタを示す図。
【図４】本実施形態によるＦＭＤキャニスタのフラッシュモジュール装着過程を示す図。
【図５】本実施形態によるＦＭＤキャニスタのディスクアレイ装置への挿入過程を示す図。
【図６】本発明の他実施形態によるＨＤＤ（Ｈａｒｄ  Ｄｉｓｋ  Ｄｒｉｖｅ）キャニスタを示す図。
【図７】本実施形態によるＨＤＤキャニスタのレバー開閉状態を示す図。
【図８】本発明の他実施形態によるＨＤＤキャニスタを示す図。
【図９】本実施形態によるＨＤＤキャニスタのディスクアレイ装置への挿入過程を示す図。
【図１０】本実施形態によるＨＤＤキャニスタの固定過程を示す図。
【図１１】本実施形態によるＨＤＤキャニスタの磁気ディスク装置への挿入過程を示す図。
【発明を実施するための形態】
【００１５】
以下、本発明による異種記録媒体混在方法を適用したディスクアレイ装置の実施形態を図面を参照して詳細に説明するものであるが、まず、本発明によるディスクアレイ装置を使用するストレージシステムを説明する。
【００１６】
一般にディスクアレイ装置が適用されるストレージシステム９０は、図１（ａ）に示す如く、コンピュータシステムの記憶手段として用いられるものであって、従来技術においては、磁気ディスク装置用のディスクアレイ装置９１ａから９１ｃとフラッシュモジュール用のディスクアレイ装置８１ａとを筐体に多数積層して記憶手段を構成するものであった。
【００１７】
これに対して本実施形態によるディスクアレイ装置が適用されるストレージシステムは、図１（ｂ）に示す如く、１台のディスクアレイ装置７０にデータの書込及び読込が高速なフラッシュモジュールとアクセス頻度が低くデータ容量が大きい磁気ディスク装置とを混在した記憶手段（メモリカードと呼んでも良い。）を構成するものであって、この複数種の記録媒体を搭載するための器具として外形寸法が同一な、フラッシュモジュールを収納するキャニスタと、磁気ディスク装置（ＨＤＤ：Ｈａｒｄ  Ｄｉｓｋ  Ｄｒｉｖｅ）又はＳＳＤ（Ｓｏｌｉｄ  Ｓｔａｔｅ  Ｄｒｉｖｅ）を収納するキャニスタを用いる。
【００１８】
また、本実施形態によるディスクアレイ装置は、複数種のキャニスタを収納する長尺状且つ上面を開放した箱形を成し、箱底板部分のベース基板にキャニスタに収納されたフラッシュモジュール及びＨＤＤと電気的接続を行うための複数の共通コネクタが配置され、後述の実施形態においては、ＨＤＤが個々のベース基板コネクタに接続され、フラッシュモジュールがＦＭＤキャニスタの接続回路を介してベース基板の３つのベース基板コネクタの内の１つに接続されるように構成され、該共通コネクタはＨＤＤ用コネクタが使用される。
【００１９】
また、本発明によるディスクアレイ装置は、１台の筐体にデータの書込及び読込が高速なフラッシュモジュールと、アクセス頻度が低くデータ容量が大きい磁気ディスク装置を混在して搭載するため、外径サイズがほぼ同一であり、これら記録媒体を搭載するケース（容器）であるキャニスタを使用するものである。
【００２０】
また、本実施形態に適用するフラッシュモジュールとは、ビットコストを低減し且つ大容量化を行うために開発された記録媒体のＦＭＤ（Ｆｌａｓｈ  Ｍｏｄｕｌｅ  Ｄｒｉｖｅ）であり、例えば、株式会社日立製作所の製品「Ｈｉｔａｃｈｉ  Ａｃｃｅｌｅｒａｔｅｄ  Ｆｌａｓｈ」（ｈｔｔｐ：／／ｗｗｗ．ｈｉｔａｃｈｉ．ｃｏ．ｊｐ／ｐｒｏｄｕｃｔｓ／ｉｔ／ｓｔｏｒａｇｅ−ｓｏｌｕｔｉｏｎｓ／ｐｒｅｓｓｒｏｏｍ／ｃｒｉｔｉｃｉｓｍ／ｈｉｔａｃ／２０１３０３／１３０３＿ｈａｆ＿ｐ１４．ｐｄｆ）が挙げられ、外形が、例えば、幅４３１ｍｍ、長さ３０７ｍｍ、厚さ１９０７ｍｍ（ｈｔｔｐ：／／ｗｗｗ．ｃｏｍｐｕｔｅｒｗｏｒｌｄ．ｃｏｍ／ｓ／ａｒｔｉｃｌｅ／９２３３３６７／Ｈｉｔａｃｈｉ＿ｒｅｌｅａｓｅｓ＿ｎｅｗ＿１．６ＴＢ＿ｆｌａｓｈ＿ｍｏｄｕｌｅｓ）の細長箱板形状を成し、細長端の一側面に接続端子（コネクタ）が配置されているが、これに限られるものではない。
【００２１】
［ＦＭＤキャニスタ１００の説明］
本実施形態によるディスクアレイ装置に適用するフラッシュモジュール用キャニスタ（フラッシュモジュール用アダプタ）であるＦＭＤキャニスタ１００は、図３に示す如く、前記外形状のフラッシュモジュール１０をフラッシュモジール挿入方向に沿って横方向に挿入され、このフラッシュモジュール１０を内部に収納した状態でディスクアレイ装置７０に縦方向に挿入されるように構成されている。
【００２２】
このＦＭＤキャニスタ１００は、図３及び図４に示す如く、外形状が細長板骨格状のキャニスタ本体１１０と、該キャニスタ本体１１０の開放面（図４のキャニスタ本体の手前面）下端の回転軸１４０ｂを介して回動自在なレバー１４０と、該レバー１４０の他端の回転軸１４０ａを介してレバー１４０と回動自在なレバー１３０と、フラッシュモジュール１０の接続端子と電気的接続するコネクタ１５０と、該コネクタ１５０と接続され、ディスクアレイ装置７０の共通コネクタと接続するためのキャニスタコネクタ１６０とを備え、該レバー１３０及び１４０を開いた状態でフラッシュモジュール１０をキャニスタ本体１１０に挿入してキャニスタ本体１１０の接続端子をコネクタ１５０に電気的接続した後、レバー１４０を回動してキャニスタ本体１１０の開放側面を閉じ、更に、レバー１３０をキャニスタ本体１１０の上面に嵌合することによって、内部にフラッシュモジュール１０を収納すると共にキャニスタ本体１１０の下端に設けられたキャニスタコネクタ１６０をディスクアレイ装置７０の基板コネクタ（共通コネクタ）に挿入して電気的接続を可能とし、ＦＭＤキャニスタ１００の上面両端のラッチ１２１及び１３１をディスクアレイ装置７０の図示しない機構部と係合させることによってＦＭＤキャニスタ１００をディスクアレイ装置７００に固定するように構成されている。
【００２３】
このように構成されたＦＭＤキャニスタ１００は、図５に示す如くディスクアレイ装置７０に矢印方向に挿入されることによって、ディスクアレイ装置７０に記憶媒体として挿入して電気的接続がされ、ディスクアレイ装置７０の記録媒体として機能させることができる。
【００２４】
［ＨＤＤキャニスタ２００の説明］
本実施形態によるディスクアレイ装置に適用する磁気ディスク装置用キャニスタ（磁気ディスク装置用アダプタ）であるＨＤＤキャニスタ２００は、ＨＤＤを３台収納可能としたものであって、図６に示す如く、３台のＨＤＤを図面上方向から個別に挿入可能なように上面３箇所が開口され上部両端からラッチ２２１及び２３１が突設された骨格状のキャニスタ本体２１０と、キャニスタ本体２１０の上面右端から突出するラッチ２２１を有すると共に回転軸２２２を回転中心として回動するレバー２２０と、キャニスタ本体２１０の上面左端から突出するラッチ２３１を有すると共に回転軸２３２を回転中心として回動するレバー２３０とを備え、該レバー２２０及び２３０を図７の如く開いた状態で図示しないＨＤＤをキャニスタ本体２１０の上方向から挿入した後、レバー２２０及び２３０を回動してキャニスタ本体２１０の開放面を閉じて内部にＨＤＤを収納し、このキャニスタ本体２１０の下端から突出するＨＤＤの端子をディスクアレイ装置７０の基板コネクタ（共通コネクタ）に挿入して電気的接続した状態でＨＤＤキャニスタ２００の上面両端のラッチ２２１及び２３１をディスクアレイ装置７０の機構部と係合させることによってＨＤＤキャニスタ２００をディスクアレイ装置７００に固定するように構成され、このようにディスクアレイ装置７０の記録媒体として機能させることができる。
【００２５】
［ＨＤＤキャニスタ３００の説明］
前述の実施形態によるＨＤＤキャニスタ２００は上部に配置した一対のレバー２２０及び２３０を開閉することによって内部にＨＤＤを収納する構造を説明したが、本実施形態によるＨＤＤキャニスタ構造はこれに限られるものではなく、図８に示す如く、３台のＨＤＤを図面上方向から個別に挿入可能なように上面３箇所が開口された骨格状のキャニスタ本体３１０と、図１０に示す如く、ディスクアレイ装置７０のベース基板７８に螺旋止めするためのネジ３２１及び３３１とによりＨＤＤキャニスタ３００を構成しても良い。このように構成されたＨＤＤキャニスタ３００は、キャニスタ本体３１０の下端から突出するネジ３２１及び３３１をディスクアレイ装置７０のベース基板７８に螺旋止めした後、図１１に示す如く、ＨＤＤ３００をＨＤＤキャニスタ３００の開口部に挿入してＨＤＤ３００の端子をベース基板７８の（共通コネクタ）に挿入することによって、ディスクアレイ装置７０に記憶媒体として挿入して電気的接続がされ、ディスクアレイ装置７０の記録媒体として機能させることができる。
【００２６】
本実施形態によるＨＤＤキャニスタ３００は、前述の実施形態がラッチを用いてディスクアレイ装置７００に固定する機構であるのに対し、ネジ止めによりディスクアレイ装置７０に固定するものであり、また、前述した実施形態においてはＨＤＤキャニスタ２００及び３００にＨＤＤを挿入する例を説明したが、ＨＤＤに限られるものではなく、ＨＤＤと同形状のＳＳＤを挿入しても良い。
【００２７】
前述の実施形態によるＦＭＤキャニスタ１００とＨＤＤキャニスタ２００及び３００は、外形状が同一であるため、例えば、図２に示す如く、１台のディスクアレイ装置７０にディスクアレイ装置７０に要求される性能に応じてデータの書込及び読込が高速なフラッシュモジュールを収納したＦＭＤキャニスタ１００と、アクセス頻度が低くデータ容量が大きい磁気ディスク装置を搭載したＨＤＤキャニスタ２００他を混在して搭載することができる。また、本実施形態によるキャニスタは、データ等を記憶するメモリカード（磁気ディスク装置、フラッシュモジュール）を電子計算機の周辺機器である記憶装置に実装する際に使用するメモリカード用アダプタとも呼ぶこともできる。
【符号の説明】
【００２８】
１０：フラッシュモジュール、７０：ディスクアレイ装置、７８：ベース基板、
８１ａ：ディスクアレイ装置、９０：ストレージシステム、
９１ａ：ディスクアレイ装置、１００：ＭＤＦキャニスタ、
１１０：キャニスタ本体、１２１：ラッチ、１３０及び１４０：レバー、
１４０ａ及び１４０ｂ：回転軸、１５０：コネクタ、１６０：キャニスタコネクタ、
２００：ＨＤＤキャニスタ、２１０：キャニスタ本体、２２０：レバー、
２２１：ラッチ、２３０：レバー、２３１：ラッチ、３００：ＨＤＤキャニスタ、
３１０：キャニスタ本体、３２１：ネジ、３２２及び３３２：回転軸、
７００：ディスクアレイ装置
【図１】
2015207028.tif 000003
【図２】
2015207028.tif 000004
【図３】
2015207028.tif 000005
【図４】
2015207028.tif 000006
【図５】
2015207028.tif 000007
【図６】
2015207028.tif 000008
【図７】
2015207028.tif 000009
【図８】
2015207028.tif 000010
【図９】
2015207028.tif 000011
【図１０】
2015207028.tif 000012
【図１１】
2015207028.tif 000013